(57)【要約】【課題】枠体と床部材との間、或いは床部材間の隙間から落下する綿埃等を捕捉し、二段ベッドやロフトベッドにあっては、下段ベッドや作業領域への綿埃等の落下を防止できるベッドを提供せんとする。【解決手段】枠体１と該枠体１に取付けた床部材２とより構成してなり、前記床部材２の下面側に対し、単又は複数の埃受け部材３、３を前記枠体１或いは床部材２に支持させて覆設してなり、特に、枠体１の開止め部材５を利用して前記埃受け部材を着脱可能に支持させた。【選択図】          図１
2004236711.tif 000002
【特許請求の範囲】
【請求項１】
枠体と該枠体に取付けた床部材とより構成してなるベッドであって、前記床部材の下面側に対し、単又は複数の埃受け部材を前記枠体或いは床部材に支持させて覆設したことを特徴とするベッド。
【請求項２】
前記埃受け部材の端縁部を前記枠体或いは床部材に着脱可能に支持させる係止部を設けてなる請求項１記載のベッド。
【請求項３】
前記埃受け部材の端縁部を前記枠体間に渡設する線状又は棒状の開止め部材に掛止させ、該開止め部材を介して前記埃受け部材を当該枠体に支持させてなる請求項１又は２記載のベッド。
【請求項４】
前記埃受け部材が、布地や合成樹脂、紙等を素材とした可撓性を有するシート材である請求項１〜３の何れか１項に記載のベッド。
【請求項５】
前記床部材が、基礎部材の上面に亘って多数の面状部材を平行に配設してなるスノコであり、該スノコを枠体に対して着脱可能に取付けてなる請求項１〜４の何れか１項に記載のベッド。
【請求項６】
前記ベッドが上下一対のベッドを有する二段ベッドを構成し、その上段ベッドの床部材の下面側に前記埃受け部材を覆設してなる請求項１〜５の何れか１項に記載のベッド。
【発明の詳細な説明】
【０００１】
【発明の属する技術分野】
本発明は、枠体と該枠体に取付けた床部材とより構成されるベッドに係わり、更に詳しくは、床部材の隙間から落ちる布団の綿埃等を受けることが可能なベッドに関する。
【０００２】
【従来の技術】
従来、複数の分割された床部材を着脱自在に取付けてなるベッドにおいて、取外しが容易且つ取付けた床部材のずれや片寄りを防止できるものとして、各床板の突き合わせの部位を固定する床板拘束金具を設けたベッドが提案されている（例えば、特許文献１参照。）。
【０００３】
また、ベッドの枠体内面に設けた段部に床部材として複数のスノコを載支し、該スノコの外周を前記枠体にて保持してなるベッドのスノコ支持構造として、各スノコの合せ目において互いにスノコの上下変位を規制する嵌合部を設け、当該合せ目の撓みと跳ね上がりとを、枠体に装着する際に各スノコが実質的に連結されることにより同時規制できることとした構造が提案されている（例えば、特許文献２参照。）。
【０００４】
これらの提案されているベッド構造は、床部材のずれや片寄り、跳ね上がり等を防止することにより床部材間の隙間を無くし、布団の綿埃等の落下を防止する機能をも有している。
しかし、布団から生じる細かな綿埃等は、床部材間、或いは枠体と間の僅かな隙間から叙々に落下するのであり、特に、上記の如く床部材としてスノコを用いた場合は、通気性が良く布団へのカビの発生を有効に防止できる反面、大きな隙間から綿埃等が落下するといった問題があった。特に、二段ベッドの上段ベッド或いはロフトベッドから落下する綿埃は下段ベッドで寝ている者又はロフトベッド下方の作業領域の机等に降りかかることとなり問題である。
【０００５】
【特許文献１】
実公昭５７−５９００６号公報
【特許文献２】
特開２００１−２５８６８４号公報
【０００６】
【発明が解決しようとする課題】
そこで、本発明が前述の状況に鑑み、解決しようとするところは、隙間から落下する綿埃等を捕捉し、二段ベッドやロフトベッドにあっては下段ベッドや作業領域への綿埃等の落下を防止できるベッドを提供する点にある。
【０００７】
【課題を解決するための手段】
本発明は、前述の課題解決のために、枠体と該枠体に取付けた床部材とより構成してなるベッドであって、前記床部材の下面側に対し、単又は複数の埃受け部材を前記枠体或いは床部材に支持させて覆設したことを特徴とするベッドを構成した。
【０００８】
ここで、前記埃受け部材の端縁部を前記枠体或いは床部材に着脱可能に支持させる係止部を設けたものが好ましい。
【０００９】
具体的には、前記埃受け部材の端縁部を前記枠体間に渡設する線状又は棒状の開止め部材に掛止させ、該開止め部材を介して前記埃受け部材を当該枠体に支持させてなる構造が採用できる。
【００１０】
また、前記埃受け部材は、布地や合成樹脂、紙等を素材とした可撓性を有するシート材が好ましい。
【００１１】
前記床部材が、基礎部材の上面に亘って多数の面状部材を平行に配設してなるスノコであり、該スノコを枠体に対して着脱可能に取付けたものでは、スノコによる優れた通気性を維持すると同時に、隙間から落下する綿埃等が捕捉される。
【００１２】
特に、前記ベッドが上下一対のベッドを有する二段ベッドを構成し、その上段ベッドの床部材の下面側に前記埃受け部材を覆設したものでは、下段ベッドへの綿埃等の落下が防止される。
【００１３】
【発明の実施の形態】
次に、本発明の実施形態を添付図面に基づき詳細に説明する。
【００１４】
図１は、本発明に係る埃受け部材を設けた木製の二段ベッドを示す側面図であり、図１〜１２は代表的な実施形態を示し、図中符号Ａは上段ベッド、Ｂは下段ベッド、１は枠体、２は床部材、３は埃受け部材をそれぞれ示している。
【００１５】
本発明のベッドは、図１に示すように、枠体１と該枠体１に取付けた床部材２とより構成してなり、前記床部材２の下面側に対し、単又は複数の埃受け部材３、３を前記枠体１或いは床部材２に支持させて覆設したことを特徴としている。
【００１６】
本例では、二段ベッドを構成する上下一対のベッドのうち、上段ベッドＡの床部材２の下面側にのみ前記埃受け部材３を覆設したものであり、他の構造については、ベッドＡ、Ｂは基本的には同様な構造であるので特に区別せずに説明する。前記ベッドは、図２に示すように、４つのコーナーに支柱１０、・・・を有し、各支柱１０、１０間に前枠１１、後枠１２及び両側枠１３、１３を連結して前記支柱１０、・・・を含む枠体１を構成している。また、両側枠１３、１３の内面側に沿って受板１４、１４を固定して前記床部材２を支持する段部６が形成されるとともに、前記前枠１１と後枠１２の内面中央部にブロック状の受片１５をそれぞれ固定して同じく前記床部材２を支持する段部６が形成されている。
【００１７】
前記床部材２は、両側縁に沿って基礎部材としての縁部材２１、２１を配設し、両縁部材２１、２１の上面に亘って多数の面状部材２２、・・・を平行に設けるとともに、各面板部材２２の下面に直交するように２本の補強部材２３、２３を固定したスノコ２０よりなり、これらスノコ２０は、図５にも示すように、前記枠体１内面に設けた段部６に外周部を載支されて当該枠体１に対して着脱可能に取付けられている。これらスノコ２０を構成する縁部材２１、面状部材２２及び補強部材２３は、それぞれ木材や合成樹脂の押出材、一体成形品、金属等を用いることができ、スノコ２０の全体を合成樹脂により一体成形したものであっても良い。本例では前記スノコ２０を２枚用いているが、原理的には１枚或いは３枚以上で構成されるものであっても良い。
【００１８】
各スノコ２０における補強部材２３、２３の一端は、隣接配置される他方のスノコ２０との合せ目２ａより側方へ突出する突片２３ａを構成しており、図６に示すように、これら突片２３ａが前記合せ目において一方のスノコ２０の下面から他方のスノコ２０の下面へそれぞれ突出することで、互いにスノコ２０、２０の上下変位を規制している。ここで、前記補強部材２３、２３は、スノコ２０の中心線より一側に寄せた位置に設けられ、両スノコ２０、２０を合せ目２ａにて接合した際に、両スノコ２０、２０の突片２３ａ、２３ａが重ならないようにするとともに、当該突片２３ａ、２３ａが近接するように設定されている。また、前記突片２３ａの上面にはクッション材２４が添設され、一方のスノコ２０の突片２３ａを他方のスノコ２０の下面、即ち面板部材２２の下面に挿入した際、当該クッション材２４が接触して音の発生やガタツキを防止している。
【００１９】
前記床部材２の下面側に覆設される埃受け部材３は、布地や合成樹脂、紙等を素材とした可撓性或いは柔軟性を有するシート材よりなり、通気性が維持できるものが好ましく、前記布地を用いる場合は、外観性が良好である点から帆布（綿）が好ましく、静電気が生じ易く綿埃等を引き付け易い点からは化学繊維を用いることが好ましい。この埃受け部材３の上面には、主にベッドからの取外し時における綿埃等の落下を防止するための起立部を周縁に沿って設けておくことが好ましく、また、埃受け部材３の下面には、模様等の絵や写真、ポスター、カレンダー等を取付け、或いは印刷等した表示部を設け、下段ベッドＢからの外観性を向上させることが好ましい。
【００２０】
前記埃受け部材３は、端縁部３ａを前記枠体１或いは床部材２に着脱可能に支持させる係止部４が設けられ、当該埃受け部材３を取外し埃を落として再利用したり、新たな埃受け部材に容易に取替えられるように構成されている。具体的には、前記枠体１の両側枠１３、１３間に渡設される線状又は棒状の開止め部材５、５を前記埃受け部材３の端縁部３ａ、３ａに取付け、これら開止め部材５、５を介して当該埃受け部材３を枠体１に支持させている。
前記開止め部材５の取付けは、図３及び図４に示すように、前記端縁部３ａを折返して該開止め部材５の外周面を抱持させるとともに該端縁部３ａの先端部を同じく埃受け部材３の下面に面ファスナー４０を介して着脱可能に取付けたものであり、前記面ファスナー４０の代わりに、例えば両面テープや接着剤により固定したり、縫合することもできる。
【００２１】
前記係止部４を構成する開止め部材５は、その両端に略直角に下方へ屈曲した鉤状部５０、５０を有する金属製の棒状部材であり、図５に示すように、各受板１４の上面に形設された同じく鉤状の凹溝１４ｂに前記鉤状部５０を係合することで両側枠１３、１３間に渡設され、前記受板１４、１４の間隔の広がりによるスノコ２０の落下を防止するものである。尚、前記開止め部材５の取付けは前記鉤状部５０と凹溝１４ｂの係合以外の構造であってもよく、また、ワイヤ等の線状部材で構成してもよい。
【００２２】
本実施形態では、図３に示すように、床部材２、２の下面側に前記埃受け部材３が２枚取付けられており、前後に取付けた２本の開止め部材５、５を、前記受板１４の前端側又は後端側と中央側に形設した凹溝１４ｂ、１４ｂにそれぞれ係合して前後２枚の埃受け部材３が着脱可能に取付けられており、特にこれら埃受け部材３、３が連続する中央部においては、前側の埃受け部材３後端を支持する開止め部材５を、後側の埃受け部材３前端を支持する開止め部材５より後側に平行に渡設し、当該中央部において埃受け部材３、３同士を部分的に重なり合わせることにより隙間が生じないように取付けられている。
【００２３】
前記開止め部材５を利用した埃受け部材３の他の好ましい支持構造として図８（ａ）に示すものは、端縁部３ａ、３ａに取付けた開止め部材５、５を受板１４の前端側及び後端側にそれぞれ渡設し、１枚の埃受け部材３で床部材２、２の下面側の略全面を覆うものであり、中央部に渡設された他の開止め部材５、５によって当該埃受け部材３の下面が支持されている。また、同じく図８（ｂ）に示すものは、中央側に開止め部材５を１本のみ渡設され、該開止め部材５により枠体１に係合された一方の埃受け部材３の下面に対し、他方の埃受け部材３の端縁部を面ファスナー４０により着脱可能に接合したものであり、面ファスナー４０以外にホック等の他の係合手段を用いることもできる。
【００２４】
埃受け部材３、３を前記開止め部材５、・・・を介して枠体１に取付けた後、各スノコ２０を合せ目２ａ側を下方に向けた傾斜状態となして両スノコ２０、２０を側面視Ｖ字状となし、その状態で枠体１内に落とし込み、合せ目２ａに対応する両縁部材２１、２１の端部を前記受板１４、１４の段部６、６に載置し、それから両スノコ２０、２０の側端部を落とし込んで、前記各受片１５の段部６に面板部材２２を載置する。
【００２５】
また、スノコ２０、２０を段部６に載支した状態で、固定金具１６によって下方より縁部材２１を受板１４に固定する。前記固定金具１６は、図５に示すように、前記縁部材２１の下面にネジ止めする固定板１６Ａを有し、該固定板１６ＡからＬ字状に下方へ延びた連結板１６Ｂを有するとともに、該連結板１６Ｂの下縁に前記固定板１６Ａとは逆向きにＬ字状に屈曲した係止板１６Ｃを有したものである。そして、前記固定板１６Ａを前記縁部材２１の下面にネジ止めし、前記受板１４の側面に連結板１６Ｂを沿わせ、前記係止板１６Ｃで前記受板１４の下面を係止して、上方移動を確実に規制している。
【００２６】
図７は、床部材２としてスノコ２０以外の板材を用いた例を示し、両縁部材２１、２１の上面に１枚のクロス張りの板材２２Ａを設けるとともに、該板材２２Ａの下面に２本の補強部材２３、２３を固定したものであり、前記補強部材２３、２３の一端は、上述のスノコ２０と同様、隣接配置される他方の床部材２との合せ目２ａより側方へ突出する突片２３ａを構成し、これら突片２３ａが前記合せ目において一方の板材２２Ａの下面から他方の板材２２Ａの下面へそれぞれ突出することで、互いに床部材２の上下変位を規制する嵌合部として機能する。
【００２７】
本実施形態のごとく枠体１と床部材２が分離可能に構成されている場合、床部材２を設置する前に枠体１の上方から前記埃受け部材３を容易に設置できるのであり、取付け、取外しの点で、好ましい構造である。このような上方からの取付けは、前記開止め部材３を用いるもの以外に、例えば図９に示すように、受板１４又は受片１５からなる段部６の上面に対して面ファスナー４０或いはビスや両面テープ等で埃受け部材３の端縁部３ａを固定した後、床部材２の縁部材２１を当該段部６上に載せて端縁部３ａを挟み込む支持構造も好ましい実施例である。
【００２８】
その他の例として、図１０（ａ）、（ｂ）に示すように、受板１４又は受片１５からなる段部６の下面に対し、面ファスナー４０や鬼目ナット４１とビス４２等を係止部４として埃受け部材３を着脱可能に取付けることもできる。これにより、本実施形態の如く分離式のベッドではなく一体式のベッドの場合も、下方から埃受け部材３を容易に取付けることが可能となる。
【００２９】
また、図１１に示すように、埃受け部材３の四隅を含む端縁部３ａに沿った複数箇所にリング４５、・・・を付設するとともに、ベッドの枠体１又は床部材２にフック４４を取付け、これらフック４４に前記リング４５をそれぞれ係止させることにより埃受け部材３を容易に取付けることが可能であり、本例では、前記枠体１を構成する支柱１０、・・・に同じくリング状の突起部４３を設け、該突起部４３に予め取り付けたフック４４に埃受け部材３四隅のリング４５をそれぞれ係止させている。
【００３０】
また、図１２に示すように、上面に粘着層３０を備えたシート状の埃受け部材３を所定長さ分巻き付けた供給ローラ７０と、該埃受け部材３をロール状に巻き取る巻取ローラ７１とをそれぞれ受板１４の前端側及び後端側にそれぞれ渡設して、これらローラ間に延びる埃受け部材３により床部材２の下面側を覆設してなるものでは、前記粘着層３０により埃等を確り保持できるとともに、前記巻取ローラ７１に図示しないハンドルを装着して回転させて延出分を巻き取ることにより、埃受け部材３をその都度取り外す必要がなくなり、前記保持した埃等の回収が極めて容易且つ確実となる。
【００３１】
以上、本発明の実施形態について説明したが、本発明はこうした実施例に何ら限定されるものではなく、例えば一体式のベッドにおいて、製造時に予め枠体と床部材との間に埃受け部材を挟み込んでなるものや、埃受け部材としてシート材の代わりに板状のトレーを装着したもの等、本発明の要旨を逸脱しない範囲において種々なる形態で実施し得ることは勿論である。また、上述の構造のベッドに限定されず、一段ベッドにも適用でき、特に下方部を机等を備えた作業領域としたロフトベッドに好適であり、埃受け部材を床部材に対して直接取付けることができることも言うまでもない。
【００３２】
【発明の効果】
以上のように、本発明のベッドによれば、枠体と床部材の間或いは床部材間の隙間から落下する布団の綿埃等を確実に捕捉でき、ベッド下の汚れや、二段ベッド又はロフトベッドにあっては下段ベッドや作業領域への前記綿埃等の落下を未然に防止できるとともに下方から見た外観性を向上でき、特に、床部材がスノコである場合には、当該スノコの通気性を維持しつつ当該隙間から落下する綿埃等を捕捉でき、外観性向上の効果も大きい。
【００３３】
また、埃受け部材の端縁部を枠体或いは床部材に着脱可能に支持させる係止部を設けたので、洗浄又は取替え時の埃受け部材の脱着が可能となる。
【００３４】
また、埃受け部材の端縁部を枠体間に渡設する線状又は棒状の開止め部材に掛止させ、該開止め部材を介して前記埃受け部材を当該枠体に支持させてなる構造では、埃受け部材の脱着がより容易であるとともに、埃受け部材を効率良く且つ確実に取付けることができる。
【図面の簡単な説明】
【図１】本発明の実施形態に係るベッドの側面図。
【図２】同じく平面図。
【図３】埃受け部材を取付けたベッドの要部の断面図。
【図４】開止め部材を取付けた埃受け部材を示す斜視図。
【図５】開止め部材の受板への取付構造の要部の断面図。
【図６】スノコの要部の斜視図。
【図７】床部材の他の例を示す斜視図。
【図８】（ａ）及び（ｂ）は、埃受け部材の他の支持構造を示す断面図。
【図９】埃受け部材の更に他の支持構造を示す断面図。
【図１０】（ａ）は面ファスナーを用いた支持構造を示す断面図。
（ｂ）は鬼目ナットを用いた支持構造を示す断面図。
【図１１】リング及びフックを用いた支持構造を示す斜視図。
【図１２】上面に粘着層を備えた埃受け部材を設けた例を示す断面図。
【符号の説明】
Ａ  上段ベッド          Ｂ  下段ベッド
１  枠体                ２  床部材
２ａ  合せ目            ３  埃受け部材
３ａ  端縁部            ４  係止部
５  開止め部材          ６  段部
１０  支柱              １１  前枠
１２  後枠              １３  側枠
１４  受板              １４ｂ  凹溝
１５  受片              １６  固定金具
１６Ａ  固定板          １６Ｂ  連結板
１６Ｃ  係止板          ２０  スノコ
２１  縁部材            ２２  面状部材
２２Ａ  板材            ２３  補強部材
２３ａ  突片            ２４  クッション材
３０  粘着層            ４０  面ファスナー
４１  鬼目ナット        ４２  ビス
４３  突起部            ４４  フック
４５  リング            ５０  鉤状部
７０  供給ローラ        ７１  巻取ローラ
【図１】
2004236711.tif 000003
【図２】
2004236711.tif 000004
【図３】
2004236711.tif 000005
【図４】
2004236711.tif 000006
【図５】
2004236711.tif 000007
【図６】
2004236711.tif 000008
【図７】
2004236711.tif 000009
【図８】
2004236711.tif 000010
【図９】
2004236711.tif 000011
【図１０】
2004236711.tif 000012
【図１１】
2004236711.tif 000013
【図１２】
2004236711.tif 000014